(57)【特許請求の範囲】
【請求項１】
背面が有色蛍光面又は有色金属光沢面であるＰＲ板と、
前記ＰＲ板よりも広い、正面が光を反射するコーティング面である背板と、
前記ＰＲ板の背面が前記背板の正面に対面するように、前記ＰＲ板を前記背板上に擡げて配置する擡げ部と、
を備えることを特徴とする間接反射演出構造体。
【請求項２】
背板がＬ字形に曲がっていることを特徴とする請求項１に記載の間接反射演出構造体。
【請求項３】
前記ＰＲ板と前記背板との間に、正面が光を反射するコーティング面、背面が有色蛍光面又は有色金属光沢面である１枚又は複数枚の床板を、それぞれ擡げ部を介して配置したことを特徴とする請求項１又は２に記載の間接反射演出構造体。
【発明の詳細な説明】
【０００１】
【発明の属する技術分野】
本発明は、反射によって目立つ様にした、反射演出構造体に関する。
【０００２】
【従来の技術】
従来の反射演出物は、表に出た反射物、例えば蛍光塗料を塗布した物、金銀紙を貼った物、向きによって色の変化するフォログラム印刷のされた物などの、直接反射によって目立つ様にした構造であった。
【０００３】
【発明が解決しようとする課題】
従来技術の直接反射による演出は普及しきっており、不思議さからは程遠い存在である事から人目を引き付けず、又、直接反射光は強い事から、淡い光の演出を行う事が不向きであった。本発明では、従来技術の欠点を解決する為に、間接反射によって周囲を淡く輝かせ、不思議さの演出する事から人目を引き、ＰＲ効果を高める事ができる様にするという事の解決を目的とする。
【０００４】
【課題を解決するための手段】
上記目的を解決するために、背面に蛍光塗料を塗ったＰＲ面の背面へ、一センチ少々の厚みを有する擡げ部を介して、正面をコーティングした背板の正面中央へ取り付け、擡げ部によってＰＲ面は擡げられている事から蛍光塗布面へ光が届き、蛍光塗布面で反射した光が背板正面のコーティング面で反射する事から、正面方向から見ると、ＰＲ板の周囲が淡く輝き、ＰＲ板を引き立てて演出する。
【０００５】
【発明の実施の形態】
壁面から反り出す形式の実施例を正面寄りの側面方向から示した斜視図の図１に於いて、本発明物は厚紙を素材に用いて製造し、ＰＲ板１を設け、ＰＲ板１の基本形状は矩形であるが、ＰＲ商品の形状に抜いた物、ＰＲ商品のロゴを抜いた物であっても良く、ＰＲ板１の裏面には有色の蛍光塗料を塗布して有色蛍光面２を設け、有色蛍光面２は蛍光塗料を塗布するのが望ましいのであるが、金属光沢に色を付けた物であっても良く、ＰＲ板１の裏面中央へ厚さ一から二センチ程度の擡げ部３を接着によって取り付け、擡げ部３の素材は軽くて厚みの有る物ならば何でも適用でき、スポンジ・発泡スチロール・段ボール紙などが適当であり、擡げ部３は背板４の正面へ接着によって取り付け、取り付け箇所は中央であっても良く、天地左右いずれの方向へ任意にずらせた箇所であっても良く、背板４はＰＲ板１に対して明らかに広い周囲を有し、正面をコーティングしてコーティング面５を設け、コーティング面５のコーティング方法は透明樹脂を白い厚紙へ合紙するのが望ましいのであるが、金銀などの金属箔のコーティングであっても良い、背板５の正面へ取り付けられたＰＲ板１は、擡げ部３によって一から二センチ程離れているので、有色蛍光面２全体へ光が届いて反射し、この反射光をコーティング面５が反射するので、本来無色である筈のコーティング面５が着色され、この間接反射による着色領域を映光域６と称して設け、映光域６はＰＲ板１へ近付くに連れて濃くなり、背板４の天縁中央から縦に細長い矩形で突出する設置部７を設け、設置部７は背板４から直接伸びるバネ域８とバネ域８を背方へ弓反りにして先端を接着する為の接着板９を設ける。
【０００６】
壁面から反り出す形式の実施例を正面方向から示した部分透視斜視図の図２に於いて、ＰＲ板１の周囲より背板５の方が明らかに広い事から間接反射による輝きの映光域６をコーティング面５へ映し出す事ができ、ＰＲ面１は擡げ部３によって擡げられているものの、裏面の隙間領域は影となり、この影領域を有する事が更に映光域６を鮮やかに演出できる事と成り、ＰＲ板１を背板４のどちら一方へ寄せる事によって食み出し領域を広くする事ができ、この食み出し領域へ印刷を施す事によって、ＰＲ板１の説明などを行う。
【０００７】
床置き形式の実施例を正面方向から示した斜視図の図３に於いて、裏面を有色蛍光面２として設けたＰＲ板１を設ける事は上記の壁面から反り出す形式の実施例と同じであるが、ＰＲ板１の横幅が長い場合は擡げ部３を両側二箇所に設け、背板は中央へヒンジ折線１０を設けて谷折りしてＬ字形状に折り曲げ、ヒンジ折線１０上を直角方向へ部分的に横切る帯形状でジョイント域１１を設け、ジョイント域１１へ横方向へ横切る平行な二本の山折り線を入れ、この山折り線に挟まれた領域は四十五度の斜上を向く事からこの領域へ擡げ部３を接着して、ＰＲ板１を斜上へ擡げ、背板はＬ字に曲がっている事からＬ字背板１４として設け、Ｌ字背板１４はＬ字に曲がっている事から座りがあって充分自立できるのであるが、更に座りを良くする事と、周囲を広くする事によってＰＲ度を増す目的からＬ字背板４の天縁へ山折り線の天折線１２を介して支持板１３を設け、天折線１２の中央から支持板１３方へ部分的に食み出す領域を設け、この食み出し領域は支持板１３を折り曲げれば天方へ突出する事から天凸片１５と称し、天凸片１５へ製造メーカーのロゴや商品名などを印刷する事によって、ＰＲ板１の説明を付け加える。
【０００８】
陳列台形式の実施例を正面方向から示した斜視図の図４に於いて、本発明はポップとしての実施が望ましいのであるが、陳列台としても実施でき、その他の実施例として述べるならば、床板１６を天地方向へ多重構造で設け、天地に隣り合う床板１６どうしは擡げ部３によって連結し、陳列台形式の擡げ部３は上に乗せる商品の重みに耐える事から腰のある発泡スチロール製が望ましく、更に強度を要する場合は、横方向へ複数個で設置し、最下部以外の床板１６の裏面は有色蛍光面２であり、床板１６全ての表面はコーティング面５であり、場合によっては最上部の床板１６の表面だけはコーティング面５でなくても差支えなく、床板１６の大きさは天から地へ向かうに連れて序々に大きくする事によって映光域６を目立たせる事ができ、同時に座りも良く成る。
【０００９】
【発明の効果】
商品を表示したＰＲ面の裏面へ有色蛍光面を設け、有色蛍光面によって色付けされた反射光をコーティング面へ映し出す事によって、ＰＲ面の周囲にうっすらと輝く映光域ができ、この映光域によってＰＲ面を引き立てる事ができると同時に、本来色の付いていなかったコーティング面を着色するので不思議さの演出ができ、間接反射光は弱い反射である事から、淡い輝きの演出が可能と成る。
【図面の簡単な説明】
【図１】壁面から反り出す形式の実施例を正面寄りの側面方向から示した斜視図
【図２】壁面から反り出す形式の実施例を正面方向から示した部分透視斜視図
【図３】床置き形式の実施例を正面方向から示した斜視図
【図４】陳列台形式の実施例を正面方向から示した斜視図
【符号の説明】
１  ＰＲ板
２  有色蛍光面
３  擡げ部
４  背板
５  コーティング面
６  映光域
【図１】
0003703915.tif 000002
【図２】
0003703915.tif 000003
【図３】
0003703915.tif 000004
【図４】
0003703915.tif 000005